(57)【要約】【課題】蓋体側に電気基板を設け、炊飯器本体側の電気基板と所定の接続用配線で接続する一方、ヒンジ部にコイルバネを設けて蓋体が自動開放されるようにした電気炊飯器において、接続用配線がコイルバネ部分で損傷されないようにする。【解決手段】内鍋と、該内鍋を収容する炊飯器本体と、該炊飯器本体の上部にヒンジ部を介して開閉可能に設けられ、閉状態において上記収容された内鍋の上部を覆う蓋体とを備え、該蓋体内には、上記炊飯器本体内の第１の電気基板と所定の接続用配線を介して接続される第２の電気基板が設けられているとともに、上記ヒンジ部には、上記蓋体を開状態に付勢するコイルバネが設けられている電気炊飯器であって、上記コイルバネは、その両端側係合片が、それぞれ左右逆方向に偏位して上記蓋体側、炊飯器本体側に係合されるようにした。【選択図】        図５
2011239903.tif 000002
【特許請求の範囲】
【請求項１】
内鍋と、該内鍋を収容する炊飯器本体と、該炊飯器本体の上部にヒンジ部を介して開閉可能に設けられ、閉状態において上記収容された内鍋の上部を覆う蓋体とを備え、該蓋体内には、上記炊飯器本体内の第１の電気基板と所定の接続用配線を介して接続される第２の電気基板が設けられているとともに、上記ヒンジ部には、上記蓋体を開状態に付勢するコイルバネが設けられている電気炊飯器であって、上記コイルバネは、その両端側係合片が、それぞれ左右逆方向に偏位して上記蓋体側、炊飯器本体側に係合されていることを特徴とする電気炊飯器。
【請求項２】
コイルバネは、左右一対の２組のコイルバネよりなることを特徴とする請求項１記載の電気炊飯器。
【請求項３】
第２の電気基板は、コイルバネの蓋体側係合片の偏位方向と逆の方向に偏位して設けられていることを特徴とする請求項１又は２記載の電気炊飯器。
【発明の詳細な説明】
【技術分野】
【０００１】
本願発明は、蓋体内に本体側電気基板と接続される電気基板を備えた電気炊飯器の蓋開閉機構の構成に関するものである。
【背景技術】
【０００２】
一般に電気炊飯器は、内鍋と、該内鍋を収容する炊飯器本体と、該炊飯器本体の上部にヒンジ部を介して開閉可能に設けられ、閉状態において上記収容された内鍋の上部を覆う蓋体とを備えて構成されている。そして、上記蓋体は、その開放操作を容易にするためと開状態を維持するための手段として、炊飯器本体との枢着部であるヒンジ部分に蓋体を開方向に回動付勢するコイルバネが設けられている（特許文献１参照）。
【０００３】
また、最近では、上記蓋体側に各種操作キーや液晶表示部を有する操作パネルを設置し、上方側から見やすく、かつ操作しやすくしたものも多くなって来ている。
【０００４】
このようなタイプのものでは、当然ながら蓋体の内側に操作基板やマイコン基板のような電気基板が設けられ、同電気基板が可撓性のあるフラットケーブル等の接続用配線を介して炊飯器本体側の制御基板等の電気基板に接続されることになる。
【０００５】
今、これらのタイプの電気炊飯器の蓋体、炊飯器本体、蓋体と炊飯器本体とを枢着するヒンジ部の構成の概略を図６に示す。
【０００６】
図６中、符号１は内側の保護枠内部に内鍋が収納されるようになった炊飯器本体で、その外ケース５の肩部には肩部材１０が一体化されている。
【０００７】
同肩部材１０の本体後端側中央位置には、ヒンジ軸（中心軸Ｏ−Ｏ′）取付用のヒンジブラケット１０ａが設けられており、同ヒンジブラケット１０ａにヒンジ軸（Ｏ−Ｏ′）が左右に延びて枢着されている。
【０００８】
また、該炊飯器本体１の後端側内部の上記保護枠と外ケース５との間の空間には、第１の電気基板である制御基板Ｂ１が立設されている。
【０００９】
他方、符号２は蓋体であり、少なくとも外周側外カバーと該外カバー内側の内カバーとを備えてなり、その後端には、上述したヒンジブラケット１０ａ部分への嵌合凹部が設けられており、該嵌合凹部の両側には、ヒンジ軸（Ｏ−Ｏ′）両端部の挿入孔が設けられている。そして、該挿入孔に上述したヒンジ軸（Ｏ−Ｏ′）の両端が挿入されることにより、蓋体２が同ヒンジ軸（Ｏ−Ｏ′）を介して上記炊飯器本体１の上部に開閉可能に枢着される。
【００１０】
そして、符号４０が、当該蓋体２を開状態に付勢する従来のコイルバネであり、該コイルバネ４０は、中央部に炊飯器本体１側肩部材１０ａに係合するＵ状の係合片４３を有するとともに、その左右両端側に何重かの均等な巻成回数のコイル部４１Ｌ，４１Ｒを形成し、かつコイル部４１Ｌ，４１Ｒ両端側に、上記Ｕ状の係合片４３と１８０゜反対方向にストレートに延びる蓋体２内側への係合片４２Ｌ，４２Ｒを設けて構成されている。
【００１１】
そして、そのコイル部４１Ｌ，４１Ｒの蓋体２を開く方向への付勢力により、蓋体２を図示のような開状態に維持するようになっている。
【００１２】
また、上記蓋体２の前部側操作パネル部２０部分には、液晶表示部２１が設けられ、その外周囲には、図示はしなかったが、例えば炊飯スイッチ、保温スイッチ、タイマー予約スイッチ、取消スイッチ、時指定スイッチ、分指定スイッチ、メニュー選択スイッチ等の各種操作キーが設けられる。
【００１３】
そして、同操作パネル部２０の下方側（外カバーと内カバーとの間）には、それらに対応したマイコン基板等の第２の電気基板Ｂ２が設置されている。
【００１４】
また、符号２ｅは、蓋体２の内鍋側下面から外周面側上方に沸騰時の蒸気を逃がす蒸気パイプ（調圧ユニット）の嵌合孔であり、蓋体２の左右方向中間部に位置して設けられている。
【先行技術文献】
【特許文献】
【００１５】
【特許文献１】特開２００８−５４９１６号公報（図１のヒンジ部の構造を参照）
【発明の概要】
【発明が解決しようとする課題】
【００１６】
ところが、以上のような構成の場合、上記蓋体２側の第２の電気基板Ｂ２を例えばフラットケーブルを介して炊飯器本体１側の第１の電気基板Ｂ１に接続しようとすると、第２の電気基板Ｂ２の中央部からヒンジ部中央のコイルバネＵ状部４３部分を通して炊飯器本体１側第１の電気基板Ｂ１に接続するか、第２の電気基板Ｂ２の左右両側の何れかの部分からヒンジ部左右両側の何れかの部分からコイルバネ４０のコイル部４１Ｌ，４１Ｒ部分を通して炊飯器本体１側第１の電気基板Ｂ１に接続するか、の何れかの構成を採用せざるを得ない。
【００１７】
しかし、前者の構成の場合、蓋体中央の蒸気パイプ嵌合孔２ｅを迂回させて接続しなければならず、複雑な断熱構造の蓋体内を迂回させることはもちろん、フラットケーブルをフラットに維持した状態でコイルバネ中央部分を通すことが難しい（配線作業も難しい）。また、大きく迂回させようとすると、必要なフラットケーブルの長さが長くなる。
【００１８】
他方、後者の場合、そのような問題はないが、フラットケーブル等の接続用配線が、蓋開閉の度に拡径、縮径、回動されるコイル部４１Ｌ，４１Ｒ部分を通るために、頻繁な摩擦、引張、曲成作用によるストレスを受けて、断線等損傷されやすい問題がある。
【００１９】
もちろん、以上のような断線等を防止するために、ヒンジ部の幅を拡大したり、ケーブルの強度、材質を高めたりすることもできるが、何れも大幅なコストを招き、容易には採用できない。
【００２０】
本願発明は、このような問題を解決するためになされたもので、上述のコイルバネの構造を、その両端側係止片が、それぞれ左右逆方向に偏位して蓋体側および炊飯器本体側に係合される構成のものとすることによって、上記従来のような問題を生じさせないようにした電気炊飯器を提供することを目的とするものである。
【課題を解決するための手段】
【００２１】
本願各発明は、上記の目的を達成するために、それぞれ次のような課題解決手段を備えて構成されている。
【００２２】
（１）  請求項１記載の発明
この発明の電気炊飯器は、内鍋と、該内鍋を収容する炊飯器本体と、該炊飯器本体の上部にヒンジ部を介して開閉可能に設けられ、閉状態において上記収容された内鍋の上部を覆う蓋体とを備え、該蓋体内には、上記炊飯器本体内の第１の電気基板と所定の接続用配線を介して接続される第２の電気基板が設けられているとともに、上記ヒンジ部には、上記蓋体を開状態に付勢するコイルバネが設けられている電気炊飯器であって、上記コイルバネは、その両端側係合片が、それぞれ左右逆方向に偏位して上記蓋体側、炊飯器本体側に係合されていることを特徴としている。
【００２３】
このように、蓋体を自動的に開方向に付勢するコイルバネが、その両端側係合片が、それぞれ左右逆方向に偏位して蓋体側および炊飯器本体側に係合されるようになっていると、偏位した分だけ接続用配線の配設スペースが生じるので、同スペースを利用して、損傷の恐れのない、安全かつ作業性の良い、ストレートな配線が可能となり、製品の信頼性も向上する。
【００２４】
（２）  請求項２記載の発明
この発明の電気炊飯器は、上記請求項１記載の発明の構成において、コイルバネは、左右一対の２組のコイルバネよりなることを特徴としている。
【００２５】
このような構成によると、左右一対のコイルバネの内、何れか一方側の全体を、さらに係合片の偏位方向に寄せて設けることが可能となるので、より接続配線配設用のスペースを広く確保することが可能となり、一層幅の広い接続用配線の使用が可能となる。
【００２６】
（３）  請求項３記載の発明
この発明の電気炊飯器は、上記請求項２記載の発明の構成において、第２の電気基板は、コイルバネの蓋体側係合片の偏位方向と逆の方向に偏位して設けられていることを特徴としている。
【００２７】
このような構成によると、上記コイルバネと蓋体との係合片を左右何れか一方側に偏位させたことによる蓋体支持力の左右両側のアンバランスが、第２の電気基板の重量により補正されて、可及的に均等に近くなる。
【００２８】
また、電気基板と接続用配線との接続幅も広く取ることができるようになる。
【発明の効果】
【００２９】
以上の結果、本願発明によると、蓋体側電気基板と炊飯器本体側電気基板との確実かつ信頼性の高い接続が可能になるとともに、接続作業自体も容易になる。
【図面の簡単な説明】
【００３０】
【図１】本願発明の実施の形態に係る電気炊飯器の内部構成を示す縦断面図である。
【図２】同電気炊飯器の外部構成を示す斜視図である。
【図３】同電気炊飯器のヒンジ部分の構成を示す背面図である。
【図４】同電気炊飯器のヒンジ部におけるコイルバネ自体の構成を示す背面図である。
【図５】同電気炊飯器のヒンジ部の構成の特徴を分かりやすく説明するための概略図である。
【図６】従来の電気炊飯器のヒンジ部分の構成を示す背面図である。
【図７】同従来の電気炊飯器のヒンジ部の構成の特徴を分かりやすく説明するための概略図である。
【発明を実施するための形態】
【００３１】
図１〜図５は、本願発明の実施の形態に係る電気炊飯器の炊飯器本体および要部の構成を示している。
【００３２】
（炊飯器全体の構成）
この電気炊飯器では、図１に示すように、例えば内鍋（飯器ないし保温容器）３として非金属材料からなる蓄熱性の良い鍋（例えば、セラミック製の土鍋）が一例として採用されており、その底壁部３ａの底部中央面（フラット面部）および該底壁部３ａ外周の湾曲面部（Ｒ面部）には、それぞれ内部に誘起されるうず電流によって自己発熱が可能な例えば銀ペースト等の金属製の第１，第２の誘導発熱体Ｇ１，Ｇ２が設けられている。
【００３３】
そして、この電気炊飯器では、同構成の内鍋３と、該内鍋３を任意に収納セットし得るように形成された下部側合成樹脂製の皿状の底壁部４ａおよび上部側筒状の側壁部４ｂよりなる内ケース（保護枠）４と、該内ケース４を保持する外部筺体である有底筒状の外ケース５と、該外ケース５の下部に一体に嵌合された底ケース１３と、上記外ケース５と上記内ケース４とを肩部１０により一体化して形成された炊飯器本体１の上部に開閉可能に設けられた蓋体２とから構成されている。
【００３４】
一方、内ケース４の底壁部４ａの下方側には、フェライトコア収納部を備えたコイルカバー（コイル台）６が設けられ、その下部にはフェライトコア（符号省略）を配置し、またそれらの間には、上記内鍋３の底壁部３ａの中央部側フラット面部と外周部側湾曲面部の上記第１，第２の２組の誘導発熱体Ｇ１，Ｇ２位置に対応して各々リッツ線が同心状に巻成された第１，第２の２組のワークコイルＣ１，Ｃ２が設けられており、それらへの通電時には上記内鍋３の上記第１，第２の誘導発熱体Ｇ１，Ｇ２にうず電流を誘起して、上記内鍋３を効率良く加熱するようになっている。
【００３５】
上記内ケース４（側壁部４ｂ）の後方部側炊飯器本体１の外ケース（側壁）５ａとの間には、上記のようにワークコイルＣ１，Ｃ２、保温ヒータＨ１等を駆動制御するＩＧＢＴやヒータ駆動回路、電源電圧整流用のダイオードブリッジよりなる整流回路、平滑回路などを備えた第１の電気基板（制御基板）Ｂ１および電気基板カバー（制御基板カバー）７が上下方向に立設する状態で設けられている。
【００３６】
この第１の電気基板Ｂ１には、後述するように接続用配線であるフレキシブルなフラットケーブル２５を介して蓋体２側の第２の電気基板（マイコン基板）Ｂ２が接続される。
【００３７】
上記内ケース４の皿状の底壁部４ａは、その底面部の中央部に内鍋３の底部３ａの温度を検知するサーミスタを内装した底センサー１８のセンサー部嵌合口が形成されているとともに、同センサー部嵌合口の外周側上面にはドーナツ状の遮熱板８が設けられている。また、外周側湾曲面部の上端側には、所定幅半径方向外方に張り出したフランジ状の段部９が設けられ、この段部９部分に上記上部側筒状の側壁部４ｂの下端側が係合載置されている。
【００３８】
他方、同上部側筒状の側壁部４ｂの上端は、図示しない内枠部材を介して上記炊飯器本体側外ケース５上端の肩部材１０側に連結して固定されている。
【００３９】
また、上記内ケース４の上部側筒状の側壁部４ｂの外周には、炊飯および保温時において加熱手段として機能する側面ヒータＨ１が設けられており、炊飯時および保温時において上記内鍋３の全周を有効かつ均一に加熱するようになっている。
【００４０】
なお、符号１１は、上記外ケース５の底部側に嵌合一体化された底ケース１３の空気吸込口上部に設けられた冷却ファン、１２はヒンジカバー、１９はコードリールである。
【００４１】
（蓋体の構成）
さらに、符号２は上記蓋体であり、該蓋体２は、その外周面を構成するとともに、中央部の蒸気パイプ嵌合孔２ｅ部分におねば戻し機能を有する蒸気パイプ（調圧ユニット）１４を備えた合成樹脂製の外カバー２ａと、該外カバー２ａの外周部内側に嵌合一体化して設けられた同じく合成樹脂製の内カバー２ｂと、該内カバー２ｂの下方に設けられた金属製の放熱板２ｃと、放熱板２ｃの上面に設けられた蓋ヒータＨ２と、上記放熱板２ｃの下方に設けられた金属製の内蓋２ｄとを備えて構成されている。
【００４２】
また、放熱板２ｃの外周縁部下方および内蓋２ｄの外周縁部下方には、それぞれパッキンが設けられており、内蓋２ｄは、同パッキンを介して内鍋３の開口縁部３ｃの上面部に接触させられている。また、蒸気パイプ１４には、下方側内カバー２ｄの蒸気導入口部から上方側蒸気排出口１４ａに向けて相互にジグザグ構造に連通した蒸気排出通路１５が形成されている。そして、１４ｃは、同蒸気排出通路１５内の調圧弁（球体弁）、１４ｄはその下方側の弁口部を有する筒状の弁座部、１４ｅは同弁座部の下端に嵌合された調圧キャップである。
【００４３】
この蓋体２は、上記外ケース５の後壁５ａ上部の肩部材１０に対してヒンジ部（ヒンジ機構）を介して上下方向に回動自在に取付けられており、その開放端側内周面には、該蓋体２に係合して当該蓋体２の上方への開放を係止する炊飯器本体１側のロック爪１７ａが係合する係合部２ｆが設けられている。
【００４４】
そして、上記外ケース１の前面側上部位置に設けられているロック機構アンロック操作部１７のＯＮ操作によって同ロック爪１７ａが解除されると、後述するコイルバネ４０Ｌ，４０Ｒの付勢力によって、上記蓋体２が自動的に上方に開かれるようになっている。
【００４５】
また、符号１６は、上記内鍋３内の温度および沸騰状態を検知する蓋センサ（蒸気センサ）である。
【００４６】
一方、上記蓋体２の外カバー２ａの前部中央には、当該炊飯器の操作部および表示部を構成する操作パネル部２０嵌合用の凹溝部が形成されており、同凹溝部部分に外カバー２ａの外周面と連続する外周面を形成する形で操作パネル部２０が嵌合されるようになっている。
【００４７】
該操作パネル部２０は、例えば薄型のボックス構造（合成樹脂製）のものよりなり、上記凹溝部内に着脱自在に嵌合して収納されている。そして、その上部側部材の上方側中央部に液晶表示部２１に対応する透明窓を有するとともに、その周囲には、タイマー炊飯用の炊飯予約スイッチ、炊飯スイッチ、保温取消スイッチ、炊飯メニュー（例えば白米、早炊き、おこわ、おかゆ、玄米その他）を指定するメニュースイッチ、時計及びタイマーの時刻時設定スイッチ、時計及びタイマーの時刻分設定スイッチの各操作キー２２ａ〜２２ｈ（図２参照）が設けられている。
【００４８】
一方、同操作パネル部２０の内側には、上記各種スイッチのスイッチ部品およびそれら操作スイッチの操作状態等表示制御機能、上記第１，第２のワークコイルＣ１，Ｃ２、保温ヒータＨ１、蓋ヒータＨ２各々への通電制御機能を有するマイコン制御ユニットを備えた第２の電気基板（マイコン基板）Ｂ２とともに液晶表示部２１がそれぞれ上記操作パネル部２０面（上部側部材の上面）に対して所定の相対角を有した状態で設けられている。
【００４９】
また第２の電気基板（マイコン基板）Ｂ２は、上記操作パネル部２０の全体に対応し、かつ上記液晶表示部２１よりも下方側に位置して、上記操作パネル部２０の前傾角よりも小さな前傾角を有して、上記操作パネル部２０収納ボックス内の底壁部上面側に設置されている。
【００５０】
（蓋体と炊飯器本体との関係）
上記炊飯器本体１の肩部材１０の本体後端側中央位置には、ヒンジ軸３０取付用のヒンジブラケット１０ａが設けられており、同ヒンジブラケット１０ａにヒンジ軸（中心軸Ｏ−Ｏ′）３０が左右両方向に延びて枢着されている。
【００５１】
また、該炊飯器本体１の後端側内部の上記保護枠４と外ケース壁５ａとの間の空間には、上述のように第１の電気基板（制御基板）Ｂ１が立設されている。
【００５２】
他方、蓋体２の後端には、上述したヒンジブラケット１０ａ部分への嵌合凹部が設けられており、該嵌合凹部の両側壁１０ｂ，１０ｅには、ヒンジ軸３０両端部の挿入孔が設けられている。そして、該挿入孔に上述したヒンジ軸３０の両端が挿入（遊嵌）されることにより、上記蓋体２が同ヒンジ軸３０を介して上記炊飯器本体１の上部に開閉可能に枢着されている。
【００５３】
なお、ヒンジ軸３０の中央部には、油圧式のダンパー機構３１が設けられており、蓋体２の緩かな開閉が行われるようになっている。
【００５４】
一方、符号４０Ｌ，４０Ｒは、上記蓋体２を開状態に付勢する左右一対の２組のコイルバネ（同一寸法、同一形状）であり、該コイルバネ４０Ｌ，４０Ｒは、例えば図３、図４に示すように、それぞれ右側下端に炊飯器本体１側肩部材１０ａの内側に係合する軸状の係合片４３Ｌ，４３Ｒ、また左側上端に蓋体２の内側に係合する軸状の係合片４２Ｌ，４２Ｒを、例えば相互に略１８０゜位置を異にする状態で有しているとともに、それら左右各係合片４３Ｌ，４３Ｒ、４２Ｌ，４２Ｒ間に何重かの均等な巻成回数のコイル部４１Ｌ，４１Ｒを形成して、必要な蓋開放方向への付勢力が得られるように構成されている。
【００５５】
そして、それらコイル部４１Ｌ，４１Ｒを、図３のように上記ヒンジ軸３０の外周に嵌合し、上記各係合片４２Ｌ，４２Ｒ、４３Ｌ，４３Ｒを、それぞれ上記対応する蓋体２、肩部材１０の係合部材部分に係合させることにより、上記蓋体２を常時開放方向へ付勢して、上記蓋体２を開状態に維持するようになっている。
【００５６】
すなわち、この実施の形態の構成の場合、例えば図３および図４に示すように、上記左右一対の２組のコイルバネ４０Ｌ，４０Ｒは、その左右両端側係止片４２Ｌ，４３Ｌ、４２Ｒ，４３Ｒが、それぞれ略１８０゜位置を異にし、かつ左右逆方向（左側と右側）に偏位して、上記蓋体２の内側および炊飯器本体１の肩部材１０の内側に係合されていることを特徴としている。
【００５７】
このように、蓋体２を自動的に開方向に付勢するコイルバネ４０Ｌ，４０Ｒ各々の両端側係止片４２Ｌ，４３Ｌ、４２Ｒ，４３Ｒが、それぞれ左右逆方向に偏位して蓋体２の内側および炊飯器本体１の肩部材１０の内側に係合されるようになっていると、例えば図３のように、それぞれコイル部４１Ｌ，４１Ｒの位置は、蓋体２および炊飯器本体１の中心位置Ａ−Ａ′から左右均等な位置に設けたとしても、それらの各蓋体２側係合片４２Ｌ，４２Ｒの位置は、ともに左側に大きく偏位して係合される。したがって、同蓋体２側の係合片４２Ｌ，４２Ｒ（特に右側のコイルバネ４０Ｒの係合片４２Ｒ）が左側に偏位した分だけ、コイルバネ４０Ｒの右側部分に接続用配線であるフラットケーブル２５の十分に広い配設スペース（蓋体２への係合片４２Ｒに邪魔されない配設スペース）が生じるので、同スペースを利用して、ケーブル損傷の恐れのない（肩部材１０側係合片４３Ｒおよびコイル部４１Ｒについては、その背面側後方を通してケーブルが配設されるので、重なっても問題とならない）、安全かつ作業性の良い配線が可能となり、製品の信頼性も向上する。
【００５８】
すなわち、同構成の場合、蓋体２の左右方向中央（Ａ−Ａ′線上）で、前後方向略中央（Ｂ−Ｂ線上）よりも若干後方位置の蒸気パイプ嵌合孔２ｅを迂回させる必要もなく、フラットケーブル２５の長さを長くする必要もない。また、フラットケーブル２５の幅を十分に広くすることができ、信号量の増大にも容易に対応することができる。
【００５９】
つまり、フラットケーブル２５の折り曲げ加工が不要となり、耐久性、信頼性が向上するとともに、ケーブルの加工コストが低下し、配線作業も容易である。
【００６０】
ところで、この実施の形態の場合、上記のような構成のコイルバネ４０は、さらに左右一対の２組のコイルバネ４０Ｌ，４０Ｒよりなることを特徴としている。
【００６１】
このような構成によると、左右一対の２組のコイルバネ４０Ｌ，４０Ｒの内、何れか一方側の全体を、例えば図４、図５に示すように、図３の構成の左右均等な位置Ｐから、さらに蓋体２側係合片４２Ｌ，４２Ｒの偏位方向に所定の寸法ａだけ寄せて設けることが可能となるので、その他方側（右側）に、より広い接続配線配設用のスペースを確保することが可能となり、全くコイル部４１Ｒおよび係合片４３Ｒに重ならせないで配設することも可能となる。また、一層幅の広い接続用配線（フラットケーブル２５）の使用が可能となる（図５中の蓋体２の左右１／２の幅の中心線Ａ−Ａ′に対する左側コイルバネ４０Ｌの係合片４２Ｌの離間寸法ＷＬと右側コイルバネ４０Ｒの係合片４２Ｒの離間寸法ＷＲ相互の関係を参照）。
【００６２】
しかも、各コイルバネ４０Ｌ，４０Ｒは、全く同じもの（同一形状、同一寸法）であるので、製造、組付も非常に容易で、低コストで済む。
【００６３】
また、この実施の形態の場合、上記蓋体２側の第２の電気基板Ｂ２は、例えば図５に示すように、コイルバネ４０Ｌ，４０Ｒの蓋体２側係合片４２Ｌ，４２Ｒの偏位方向（左）と逆の方向（右）に所定寸法ｂだけ偏位して設けられていることを特徴としている（図３の場合にも同様）。
【００６４】
このような構成によると、上記コイルバネ４０Ｌ，４０Ｒと蓋体２との係合片４２Ｌ，４２Ｒを左右何れか一方側に偏位させたことによる蓋体２支持力（バネ力）の左右両側のアンバランスにより、炊飯器本体１の中心と蓋体２の中心がズレ、蓋体２が炊飯器本体１の上部に正確に対応しなくなる恐れが、第２の電気基板Ｂ２の重量の移動による重心の変化により補正されて、可及的に均等に近くなる（バランスされる）。その結果、蓋体２の開閉状態がスムーズになるとともに、閉状態も正確かつ安定したものとなる。
【００６５】
また、電気基板Ｂ２と接続用配線（フラットケーブル２５）との相互に対応する接続幅（コネクタ幅）も広く取ることができるようになる。
【００６６】
なお、図５中の符号２５ａは、上記フラットケーブル２５の炊飯器本体１側第１の電気基板Ｂ１への接続端、２５ｂは蓋体２側第２の電気基板Ｂ２への接続端を示している。
【符号の説明】
【００６７】
１は炊飯器本体、２は蓋体、３は内鍋、４は保護枠、１０ａはヒンジブラケット、２５はフラットケーブル、３０はヒンジ軸、４０，４０Ｌ，４０Ｒはコイルバネ、４２Ｌ，４２Ｒ，４３Ｌ，４３Ｒはコイルバネの係合片である。
【図１】
2011239903.tif 000003
【図２】
2011239903.tif 000004
【図３】
2011239903.tif 000005
【図４】
2011239903.tif 000006
【図５】
2011239903.tif 000007
【図６】
2011239903.tif 000008
【図７】
2011239903.tif 000009